(57)【要約】【課題】簡便な構成でありながら、浴槽内で貯湯タンクの満水及び貯湯タンク内の湯の温度を知ることができる入浴装置を提供する。【解決手段】扉開閉式浴槽１より高位に貯湯タンク２を配設し、両者を連通する給湯管３の中間部に給湯弁３ａを設けた。下端が給湯弁３ａの下流で給湯管３に連結するオーバーフロー管４は、その上部が貯湯タンク２内に導かれ、吸湯口３ｂより高位で開口する。貯湯タンク２内の湯が満水になると、上端開口４ａから流入した湯が扉開閉式浴槽１内に流入するから、貯湯タンク２の満水と湯温を確認できる。その後給湯弁３ａを開けると、扉開閉式浴槽１への迅速な給湯が可能である。【選択図】図１
0003172067.tif 000002
【実用新案登録請求の範囲】
【請求項１】
扉開閉式浴槽と、
扉開閉式浴槽より高位に配設された貯湯タンクと、
貯湯タンク内の下部で開口する吸湯口を有し、貯湯タンクと扉開閉式浴槽とを連通し、中間部に給湯弁が設けられた給湯管と、
下端が給湯弁の下流で給湯管に連結され、上端が貯湯タンク内の吸湯口より高位で開口するオーバーフロー管と
を有することを特徴とする入浴装置。
【請求項２】
請求項１に記載の入浴装置を具えたことを特徴とするユニットハウス。
【考案の詳細な説明】
【技術分野】
【０００１】
本考案は、身体障害者，老人等の要介助者の入浴に適した入浴装置、及び該入浴装置を具えたユニットハウスに関する。
【背景技術】
【０００２】
扉開閉式浴槽は、身体障害者，老人等の介助を必要とする者（以下、要介助者と称する）が出入りし易い様に側壁に扉を設けた浴槽であって、腰掛けるための着座部を設けたもの，車椅子に乗ったまま入浴できる様に構成したもの，伏臥位で入浴する様に構成したもの等が知られている。しかし、要介助者は、扉開閉式浴槽に入ったまま給排湯を待たねばならず、寒さのために風邪をひいたり血圧が上昇したりする虞があった。そのため、迅速な給排湯のために、少なくとも浴槽に収容する湯の全量を貯留可能な貯湯タンクを具備する入浴装置が提案されている（例えば、特許文献１参照）。
【先行技術文献】
【特許文献】
【０００３】
【特許文献１】特開２００９−１１９１２４号公報
【考案の概要】
【考案が解決しようとする課題】
【０００４】
しかしながら、上記特許文献１に記載の入浴装置は、屋外の貯湯タンクに予め必要量の湯を溜めておくことを想定しており、浴室内で貯湯タンク内の量又は温度を知ることができない。レベルセンサー，温度センサー，加熱装置等を設けることはできるものの、その場合には、重い機器や装置を含む複雑な構成が必要となる。
【０００５】
上記問題点に鑑み、本考案は、簡便な構成でありながら、浴槽内で貯湯タンクの満水及び当該タンク内の湯の温度を知ることができる入浴装置を提供することを課題とする。更に、かかる入浴装置を具えたユニットハウスを提供することを課題とする。
【課題を解決するための手段】
【０００６】
上記課題を解決する本考案の入浴装置は、
扉開閉式浴槽と、
扉開閉式浴槽より高位に配設された貯湯タンクと、
貯湯タンク内の下部で開口する吸湯口を有し、貯湯タンクと扉開閉式浴槽とを連通し、中間部に給湯弁が設けられた給湯管と、
下端が給湯弁の下流で給湯管に連結され、上端が貯湯タンク内の吸湯口より高位で開口するオーバーフロー管と
を有する。
【０００７】
本考案のユニットハウスは、上記入浴装置を具えたユニットハウスである。
【考案の効果】
【０００８】
本考案の入浴装置は、オーバーフロー管の上端開口よりも高い水位まで湯が溜まると、オーバーフロー管を通って扉開閉式浴槽の内部に湯が流入する構成である。それによって貯湯タンクの満水を確認でき、その後、給湯弁を開いて扉開閉式浴槽に迅速に給湯することができる。湯温も確認できるから、それが高過ぎ又は低過ぎる場合には、給湯を中止することもできる。これによって、要介助者が火傷を負い、又はぬるい湯に浸かって風邪をひくことが回避される。
【０００９】
本考案は、特殊な機器や装置を用いない軽量かつシンプルな構成であるから、多大な負荷を与えることなく既設建物に容易に設置でき、また、設置コストを抑えることもできる。
【００１０】
本考案の入浴装置は、長時間貯湯したり浴槽から貯湯タンクに湯を戻したりせず、使用の度に給湯器等から貯湯タンクに清潔な湯を溜める構成であるから、貯湯タンク内で微生物が繁殖する虞が低減され、衛生的である。浴槽近傍にシャワーが設けられている場合には、シャワーを用いて体を洗いながら湯が溜まるのを待てば良く、要介助者に寒い思いをさせることなく、貯湯に要する時間を有効に活用できる。
【００１１】
本考案のユニットハウスは、上記入浴装置を具備するシンプルな構成であるから、ユニットハウス本体及び入浴装置の構成部材を所望の場所に搬送し組み立てることが容易である。また、軽量であるから、当該ユニットハウスを組み立てた後に搬送することも可能である。したがって、民家，介護施設等の庭に設置したり、既設建物に連結させ増築したりすることが容易であって、急に介助の必要が生じた場合にも対応できるし、設置コストも安価である。
【図面の簡単な説明】
【００１２】
【図１】実施例１の入浴装置を示す配管図である。
【図２】実施例２の入浴装置を示す配管図である。
【図３】実施例３のユニットハウスを示す正面図である。
【図４】実施例３のユニットハウスを示す平面断面図である。
【考案を実施するための形態】
【００１３】
以下に、本考案を実施するための形態を、実施例を示す図面を参照して詳細に説明するが、本考案は以下の実施例に限定されるものではない。
【実施例１】
【００１４】
実施例１の入浴装置は、図１に示される様に、
扉開閉式浴槽１と、
扉開閉式浴槽１より高位に配設された貯湯タンク２と、
貯湯タンク２内の下部で開口する吸湯口３ｂを有し、貯湯タンク２と扉開閉式浴槽１とを連通し、中間部に給湯弁３ａが設けられた給湯管３と、
下端が給湯弁３ａの下流で給湯管３に連結され、上端が貯湯タンク２内の吸湯口３ｂより高位で開口するオーバーフロー管４と
を有する。
【００１５】
扉開閉式浴槽１は、側壁の一部に開閉可能な扉１ａを有し、扉１ａとその縁部には水漏れを防ぐシールが設けられている。浴槽内には着座部１ｂが設けられており、要介助者は、車椅子から容易に着座部１ｂに移動できる。扉開閉式浴槽１の形状は必ずしもこれに限られず、例えば、車椅子に乗ったまま入浴するタイプ，仰臥位で入浴するタイプ等であっても良い。
【００１６】
貯湯タンク２は、扉開閉式浴槽１を満たすに充分な量の湯を溜められる容積を有する。略直方体状の形状として図示するが、その形状は特に限定されない。内部に溜めた湯の温度が低下しない様、貯湯タンク２の内面には、断熱材が貼着されることが好ましい。貯湯タンク２は扉開閉式浴槽１より高位に配設されているため、その内部に溜められた湯は、後述する給湯管３を介して重力により扉開閉式浴槽１に流入可能である。
【００１７】
給湯管３は、貯湯タンク２から扉開閉式浴槽１に給湯するための管であって、上端の吸湯口３ｂで貯湯タンク２内部と連通し、その中間部には給湯弁３ａが設けられている。給湯管３の下端は、着座部１ｂの下方を通り、着座部１ｂの前壁に設けられた給排湯口１ｃで扉開閉式浴槽１内部と連通している。給湯管３は扉開閉式浴槽１の近傍で分岐し、当該分岐した管は、扉開閉式浴槽１より低位で下方に向け開口する主排湯管５とされている。主排湯管５の中間部には、排湯弁５ａが設けられている。排湯弁５ａを閉め給湯弁３ａを開けると貯湯タンク２から扉開閉式浴槽１に給湯され、給湯弁３ａを閉めて排湯弁５ａを開けると、扉開閉式浴槽１から排湯される。給湯弁３ａ及び排湯弁５ａは、電動弁や手動弁であっても良いが、可及的速やかに開閉するためには電磁弁が好適である。主排湯管５は、必ずしも上記の様に給湯管３から分岐して設けられることに限られず、給湯管３とは別個に設けられた主排湯管が扉開閉式浴槽１内部と直接連通していても良い。また、より速やかな排湯のために、主排湯管５の中間部にポンプを配設することも可能である。
【００１８】
扉開閉式浴槽１の底部には、ゴム栓で開閉可能な副排湯口１ｄが穿設され、副排湯口１ｄで浴槽内部と連通する副排湯管６が設けられている。扉開閉式浴槽１底部より高位に設けられた給排湯口１ｃからは完全に排湯し切れないが、副排湯管６を併用することで完全な排湯が可能となる。また、主排湯管５と副排湯管６の双方を設けることにより、より迅速な排湯が可能である。
【００１９】
オーバーフロー管４は、扉開閉式浴槽１と給湯弁３ａとの間で給湯管３から分岐し上方に延出された管であって、その上端は、貯湯タンク２内に導かれ吸湯口３ｂより高位で開口する。貯湯タンク２が満水になると、上端開口４ａからオーバーフロー管４内に湯の一部が流入し、給湯管３に導かれ扉開閉式浴槽１内に到る。
【００２０】
給湯管３，オーバーフロー管４，主排湯管５，及び副排湯管６の材質は、入浴に用いる湯の温度に耐える剛性の材質であれば特に限定されず、例えば、ポリ塩化ビニル，高密度ポリエチレンその他の合成樹脂、鉄，銅その他の金属、又は炭素鋼，ステンレス鋼その他の合金が用いられる。金属又は合金を用いる場合には、めっき，コーティング等で防錆処理加工することが好ましい。また、給湯管３及びオーバーフロー管４に金属製又は合金製の管を用いる場合には、断熱チューブで外周を覆う等して断熱することが好ましい。更にまた、迅速な給排湯を可能とするために、給湯管３及び主排湯管５の内径は充分に大きくされ、通常、直径５０ｍｍ程度とされる。扉開閉式浴槽１の近傍には制御盤（図示せず）が設けられており、該制御盤を要介助者又は介助者が操作するのみで、給湯弁３ａ及び排湯弁５ａは開閉する。また、例えば、貯湯タンク２内の湯の温度を測定するセンサー（図示せず）を設け、所定以上の高温であれば要介助者の火傷を防ぐために給湯弁３ａを自動的に閉じる様に構成することもできる。
【００２１】
扉開閉式浴槽１又はその近傍には、混合水栓７が設けられていて、分岐した一方は貯湯タンク２に導かれ、他方はシャワーヘッド８に連結されている。これにより、任意温度に設定した湯を、貯湯タンク２への貯湯又はシャワーに用いることが可能である。
【００２２】
上記入浴装置を用いる際には、まず、給湯弁３ａ及び排湯弁５ａを閉め副排湯口１ｄを開けた状態で、貯湯タンク２に湯を溜める。貯湯タンク２の水位がオーバーフロー管４の上端開口４ａ以高に上昇すると（即ち貯湯タンク２が満水になると）、湯の一部が扉開閉式浴槽１内部に流入するから、当該流入と湯温とを確認した上で、要介助者を扉開閉式浴槽１に入れ貯湯タンク２への貯湯を止める。必要に応じてシャワーで要介助者の体を洗った後、扉１ａを閉め副排湯口１ｄに栓をし、給湯弁３ａを開いて扉開閉式浴槽１に給湯する。入浴が終わったら、排湯弁５ａを開くと共に副排湯口１ｄの栓を外して排湯し、扉１ａを開けて要介助者を浴槽外に連れ出す。
【実施例２】
【００２３】
実施例２の入浴装置は、図２に示される様に、
扉開閉式浴槽１，…と、
扉開閉式浴槽１，…より高位に配設された貯湯タンク２と、
貯湯タンク２内の下部で開口する吸湯口３ｂを有し、貯湯タンク２と扉開閉式浴槽１，…とを連通し、中間部に給湯弁３ａ，…が設けられた給湯管３と、
下端が給湯弁３ａ，…の下流で給湯管３に連結され、上端が貯湯タンク２内の吸湯口３ｂより高位で開口するオーバーフロー管４と
を有する。
【００２４】
本実施例の入浴装置は、複数の扉開閉式浴槽１，…が設けられ、それら扉開閉式浴槽１，…に連結された大容量の貯湯タンク２が設けられている点において、及び、混合水栓を用いない代わりに湯温調節可能な給湯器９が設けられている点において、実施例１の入浴装置と相違するが、その余の構成は実施例１の入浴装置と略同様である。以下、実施例１と同一部分には同一符号を付して、詳細な説明は省略する。
【００２５】
貯湯タンク２は、全ての扉開閉式浴槽１，…を満たすに充分な量の湯を溜められる容積を有する。給湯管３は、単一の吸湯口３ｂを有するが、貯湯タンク２より低位で分岐し各扉開閉式浴槽１，…に連結されている。給湯管３の分岐した部分には、各１個の給湯弁３ａ，…が設けられ、個別の扉開閉式浴槽１，…に給湯し又は給湯しないことを選択可能である。オーバーフロー管４は、貯湯タンク２内に単一の上端開口４ａを有し、貯湯タンク２より低位で分岐した下端が、上記給湯管３の分岐した部分にそれぞれ連結されている。これにより、湯の水位が上端開口４ａ以高となると、全ての扉開閉式浴槽１，…で貯湯タンク２の満水を知ると共に湯温を確認することができる。
【００２６】
給湯器９と貯湯タンク２とを連結する管の中間部には、貯湯弁９ａが設けられている。図２においては、貯湯弁９ａを手動弁として示すが、必ずしもこれに限られず、例えば電磁弁又は電動弁であっても良い。
【００２７】
本実施例の入浴装置は、介護施設等において多数の要介助者を入浴させるのに適する。全ての扉開閉式浴槽１，…を同一の浴室に設けることもできるが、各扉開閉式浴槽１，…を個別の浴室に１個ずつ配設することもできる。給湯器９から貯湯タンク２に湯を供給する構成であるから、実施例１の入浴装置を多数設置するよりも貯湯及び湯温管理が簡便であり、また、設置費用も抑制できる。各扉開閉式浴槽１，…又はそれらの近傍にシャワーを設けた場合、シャワーを用いて要介助者の体を洗いながら貯湯を待つことができ、要介助者に寒い思いをさせることなく、貯湯に要する時間を有効に活用できる。
【実施例３】
【００２８】
実施例３のユニットハウスは、図３及び図４に示される様に、本考案の入浴装置を具える。以下、本実施例のユニットハウスについて説明するが、実施例１及び実施例２と同一の部分には同一符号を付して詳細な説明は省略する。
【００２９】
ユニットハウス本体１０は、鉄骨フレームに鋼板製パネルを嵌めて形成される軽量鉄骨造であり、出入口には引き戸１０ａが設けられている。車椅子に乗ったまま出入り可能とするため、出入口は、充分な幅を有し段差の無い形状とされている。出入口と既設建物の通路とを段差無く連結することにより、当該既設建物に対して、ユニットハウスを容易に連結し増築することができる。ユニットハウス本体１０の構造は、構造堅牢で組立容易であれば良く、必ずしも上記した構造に限定されない。例えば、軽量化のために鉄骨フレームの一部を角パイプとし、又は、ポリスチレン等の断熱材を鋼板で挟んだ多層構造の断熱パネルを用いることもできる。
【００３０】
ユニットハウス本体１０には、内部を浴室１１と配管スペース１２に区画する隔壁１３が設けられ、隔壁１３に接する様にして扉開閉式浴槽１が浴室１１内に設置されている。ユニットハウス本体１０の屋根１０ｂには、貯湯タンク２が載置固定され設けられている。貯湯タンク２の一側壁には、透光性合成樹脂製の管を略コ字形状に曲げて作製され、両端が貯湯タンク２内部と連通する湯量計２ｂが設けられており、それによって貯湯タンク２内の水位を容易に知ることができる。貯湯タンク２から垂設された給湯管３及びオーバーフロー管４は、屋根１０ｂを貫通して配管スペース１２内で合流し、隔壁１３を貫通して着座部１ｂ下方の空間を通り扉開閉式浴槽１内部と連通する。前記着座部１ｂ下方の空間で給湯管３から分岐した主排湯管５は、隔壁１３を貫通して配管スペース１２に至り、扉開閉式浴槽１底部より低位で下方に向けて開口している。扉開閉式浴槽１に連通する副排湯管６は、ユニットハウス本体１０の床に穿設された蓋付きの排水溝１０ｃに導かれている。排水溝１０ｃは、外部に排水する排水口１０ｄを有していて、副排湯管６を介して排出される湯のみならず、浴室１１内の水も排出可能である。
【００３１】
ユニットハウス本体１０の外側壁には給湯器９が取り付けられており、給湯器９と貯湯タンク２とを連結する管の一端は、貯湯口２ａにおいて貯湯タンク２内で開口する。これにより所望温度の湯を貯湯タンク２に供給できるが、給湯器９の配管を浴室１１内にも導き、シャワー等に供することも可能である。
【００３２】
上記構成を有する本考案のユニットハウスは、それを所望の場所に搬送して設置し、又はユニットハウス本体１０及び入浴装置の構成部材を所望の場所に搬送して組み立てることが容易である。民家，介護施設等の庭に設置したり、既設建物に連結させたりすることも容易であるから、急に介助の必要が生じた場合にも対応できるし、設置コストも安価である。尚、ユニットハウス本体１０に対する入浴装置の配置は必ずしも上記に限られず、本考案の技術的範囲に属する範囲で種々の改変が可能である。
【符号の説明】
【００３３】
１  扉開閉式浴槽
１ａ  扉
１ｂ  着座部
１ｃ  給排湯口
１ｄ  副排湯口
２  貯湯タンク
２ａ  貯湯口
２ｂ  湯量計
３  給湯管
３ａ  給湯弁
３ｂ  吸湯口
４  オーバーフロー管
４ａ  上端開口
５  主排湯管
５ａ  排湯弁
６  副排湯管
７  混合水栓
８  シャワーヘッド
９  給湯器
９ａ  貯湯弁
１０  ユニットハウス本体
１０ａ  引き戸
１０ｂ  屋根
１０ｃ  排水溝
１０ｄ  排水口
１１  浴室
１２  配管スペース
１３  隔壁
【図１】
0003172067.tif 000003
【図２】
0003172067.tif 000004
【図３】
0003172067.tif 000005
【図４】
0003172067.tif 000006